(57)【特許請求の範囲】
【請求項１】
個人用の鏡であり、前記鏡の前に位置している人の少なくとも一部を照明するための照明システムを備える鏡であって、
前記鏡の前の人の位置を検出するための位置検出器が設けられ、
前記照明システムが、前記位置検出器の信号に依存して、互いに独立して動かされ得る照明素子の役割を果たすＯＬＥＤのアレイを有し、
前記ＯＬＥＤのアレイの各ＯＬＥＤが、オフに切り換えられる場合、鏡素子として機能するように、高反射性金属で作成される陰極を持つ底部放射ＯＬＥＤであり、
前記ＯＬＥＤのアレイが、部分的に又は完全に、照射面に切り換えられ得る、並んで大きな鏡面を生成する、１つの共通の大きなＯＬＥＤのＯＬＥＤユニット又はＯＬＥＤの行及び列を有する鏡。
【請求項２】
前記照明素子の明るさが、前記位置検出器の信号に依存して、互いに独立して、制御される請求項１に記載の鏡。
【請求項３】
前記位置検出器が、近接センサ、好ましくは、多数の容量性近接センサを有する請求項１又は２に記載の鏡。
【請求項４】
前記位置検出器が、ビデオカメラを有する請求項１乃至３のいずれか一項に記載の鏡。
【請求項５】
少なくとも明るさセンサが設けられる請求項１乃至４のいずれか一項に記載の鏡。
【請求項６】
各々、照明素子又は鏡素子の役割を果たすＯＬＥＤのアレイが設けられる請求項１乃至５のいずれか一項に記載の鏡。
【請求項７】
少なくとも２つの、好ましくは全てのＯＬＥＤが、容量性近接センサとして構成される請求項６に記載の鏡。
【請求項８】
請求項１乃至７のいずれか一項に記載の鏡を動作させる方法であって、
前記鏡の前の人の位置が検出され、
前記照明システムの前記照明素子が、前記鏡の前の人の検出された位置に依存して、動かされる方法。
【請求項９】
前記人の外観が映し出されるべきである領域の外に位置するこのような照明素子が動かされる請求項８に記載の方法。
【発明の詳細な説明】
【技術分野】
【０００１】
本発明は、個人用の鏡の分野に関し、特に、身繕い用の鏡の分野に関する。
【背景技術】
【０００２】
人間の身繕いは、一般に、髪をとかし、髪のスタイルを整える、あごひげをそる、及び他の形態のボディコスメティックなどの鏡の前で行われる行動を含む。身繕いのために鏡を使用している人の外観の良好な視認性を供給するために、その人の顔及び／又は身体を照明するための照明システムを鏡に設けることは知られている。
【０００３】
多くの場合、このような照明システムは、手動で操作され得る多数のランプを有する。これは、鏡を使用している人が、その人の個人的な要求に従ってランプを作動させることができることを意味する。通常、人は、照射される光で目がくらまないようにしてランプを作動させたいとも望むであろう。しかしながら、鏡の前の人の外観の良好且つ鮮明な映し出しのための、目をくらませない調節は、見つけるのが容易ではない。これは、このような照明システムを、人の要求に容易な方法で適合させることは難しいことを意味する。
【発明の概要】
【発明が解決しようとする課題】
【０００４】
本発明の目的は、汎用性のある方法で、目をくらませず、良好な鏡像を供給する鏡、及び前記鏡を動作させる方法を提供することである。
【課題を解決するための手段】
【０００５】
この目的は、個人用の鏡であり、前記鏡の前に位置している人の少なくとも一部を照明するための照明システムを備える鏡であって、
前記鏡の前の人の位置を検出するための位置検出器が設けられ、
前記照明システムが、前記位置検出器の信号に依存して、互いに独立して動かされ得る多数の照明素子を有する鏡によって達成される。
【０００６】
従って、本発明の重要な特徴は、前記位置検出器の信号によって与えられる前記鏡の前の人の位置に依存して制御されるこのような照明システムを有する鏡を提供することである。これは、前記照明システムの照明素子は、前記鏡に人が近づくときにしか作動されないが、少なくとも２つの照明素子が、前記鏡の前の人の実際の位置に依存して、個々に動かされることを意味する。 
【０００７】
一般に、それは、前記鏡の前の人の検出された位置に依存して、前記照明素子を、各々、オン及びオフに切り換えることによって、前記照明システムの個々の照明素子を動かすのに十分であり得る。しかしながら、本発明の好ましい実施例によれば、前記照明素子の明るさが、前記位置検出器の信号に依存して、互いに独立して、制御される。各照明素子の明るさを個々に制御することによって、常に、前記人の目をくらませずに、前記人の最適な照明を達成することができ、従って、鮮明な、明るい映し出しを達成することができるという利点が達成され得る。 
更に、本発明の好ましい実施例によれば、周辺光の明るさの検出器が設けられ、目をくらませずに前記人の最適な照明が達成されるように、前記照明素子の明るさを個々に制御するのに、この検出器の信号が用いられる。
【０００８】
本明細書及び請求項を通して、前記照明素子を「動かす」とは、前記照明素子を、各々、オン若しくはオフに切り換えること、及び／又はオンに切り換えられた照明素子の明るさを最低の明るさから最高の明るさまで制御することを意味する。更に、照明素子がオンに切り換えられる場合に、「動かされる」とみなされ、前記照明素子がオフに切り換えられる場合に、「動かされない」とみなされる。
【０００９】
一般に、オフ状態においては、即ち、前記照明素子が動かされないときには、前記照明素子は、非反射面を持ち得る。しかしながら、本発明の好ましい実施例によれば、少なくとも１つの照明素子が、動かされないときに鏡素子の役割を果たすよう設計される。全照明素子が、動かされないときに鏡素子の役割を果たすのが、特に好ましい。この実施例は、１つ以上の照明素子をオフに切り換えることによって、目をくらませる光の発生が防止されるだけでなく、付加的な鏡面が供給され、前記人の外観の映し出しを向上させるという利点を持つ。特に、前記人が、前記鏡の前で横に移動する場合に、この好ましい実施例によれば、前記人の真正面の照明素子が、オフに切り換えられることができ、その代わりに、鏡面が出現する。従って、前記人の目の前には、鏡面が生成され、前記鏡の周囲部が、取り囲む前記照明素子を動かすことによって、従って、外観を反射から照明に変えることによって、照明されるということが、達成され得る。
【００１０】
一般に、前記位置検出器は、様々な種類のセンサを含むことができ、多様な方法で設計及び配設されることができる。しかしながら、本発明の好ましい実施例によれば、前記位置検出器は、少なくとも１つの近接センサを有する。更に、前記位置検出器は、多数の近接センサ、特に、多数の容量性近接センサを含むのが、特に好ましい。このような容量性近接センサは、よく知られており、低コストで広く入手可能である。このような容量性近接センサを用いれば、前記鏡の前の人の位置を、うまく推定することができ、従って、前記照明素子の動作は、常に、目をくらませない最適な映し出しを可能にするようにして、制御され得る。他の例においては、又はそれに加えて、前記位置検出器は、ビデオカメラを有する。ビデオカメラも、位置検出のためにうまく設置され、従って、位置検出を更に向上させるのに用いられ得る。
【００１１】
上で既に述べたように、前記鏡は、周辺光の明るさセンサを含み得る。本発明の好ましい実施例によれば、他の例においては、且つ／又はそれに加えて、前記位置検出器は、明るさセンサ、特に、明るさセンサのアレイを有する。このような明るさセンサは、非常に単純且つ安価な製品であり得るが、一般に、それでも、前記鏡の前の人の位置の検出の可能性を供給する。 
【００１２】
更に、上でも述べたように、少なくとも１つの照明素子が、動かされないときに鏡素子の役割を果たすよう設計され得る。これについては、本発明の好ましい実施例によれば、各々、照明素子及び鏡素子の役割を果たすＯＬＥＤのアレイが設けられる。各々が単一のＯＬＥＤユニットとして機能するセグメント化された部分を備える単一のＯＬＥＤも、ＯＬＥＤのアレイであるとみなされ、従って、多数の照明素子で構成されているとみなされると理解されたい。
【００１３】
一般に、ＯＬＥＤ（有機発光ダイオード）は、オフに切り換えられる場合、鏡素子として機能する。なぜなら、底部放射ＯＬＥＤの陰極は、一般に、アルミニウム又は銀などの高反射性金属で作成されるからである。前記ＯＬＥＤは、オンに切り換えられる場合、大面積光面光源としての役割を果たす。更に、ＯＬＥＤは、オフに切り換えられる場合、明るさセンサの役割を果たし得る。従って、ＯＬＥＤ自体が、例えば、照射される光の明るさを制御するための周辺光の検出のための、明るさセンサとして用いられ得る。
【００１４】
従って、部分的に又は完全に、照射面に切り換えられ得る、並んで大きな鏡面を生成する、１つの共通の大きなＯＬＥＤのＯＬＥＤユニット又はＯＬＥＤの行及び列を各々設けるのが特に好ましい。これは、反射面を備える前記鏡の前の人の動きに追従し、周囲面が照明される可能性を供給する。このようにして、常に、前記人の目をくらませない最適な映し出しが達成され得る。
【００１５】
一般に、このようなＯＬＥＤは、各々、照明素子及び鏡素子としてしか用いられることができない。しかしながら、本発明の好ましい実施例によれば、これらのＯＬＥＤのうちの少なくとも２つ、好ましくは、これらのＯＬＥＤの全てが、容量性近接センサとして構成される。ＯＬＥＤは、それらの設計により、それら自体が、それらの近傍の容量変化に対して敏感である。これは、この実施例は、各々、照明目的及び鏡目的のためのＯＬＥＤのアレイの場合において位置センサを設ける非常に便利且つ効率的な方法を提供することを意味する。
【００１６】
上記の目的は、更に、前述のような鏡を動作させる方法であって、前記鏡の前の人の位置が検出され、前記照明の前記照明素子が、前記鏡の前の人の検出された位置に依存して、動かされる方法によって、解決される。この方法の場合は、前記人の外観が映し出されるべきである領域の外に位置するこのような照明素子が動かされるのが特に好ましい。これは、目をくらませない前記人の外観の最適且つ完全な映し出しの可能性を供給する。
【００１７】
下記の実施例を参照して、本発明のこれら及び他の態様を説明し、明らかにする。
【図面の簡単な説明】
【００１８】
【図１】本発明の好ましい実施例による鏡に用いられるＯＬＥＤの構成の断面図を示す。
【図２】鏡の前の様々な位置又は大きさの人に対する本発明の好ましい実施例による鏡の概略図を示す。
【図３】鏡の前の様々な位置又は大きさの人に対する本発明の好ましい実施例による鏡の概略図を示す。
【図４】鏡の前の様々な位置又は大きさの人に対する本発明の好ましい実施例による鏡の概略図を示す。
【発明を実施するための形態】
【００１９】
図１から分かるように、本発明の好ましい実施例による鏡に用いられるＯＬＥＤ１は、頂部から底部へ、シーリング２と、陰極３と、活性層４と、陽極５とを有する。このスタックは、ガラス板のような基板６上に配設される。光７は、ガラス板によって形成される底部を通して放射され得る。陰極３は、一般に、アルミニウム又は銀のような金属で作成され、故に、陰極３は、反射性であり、ＯＬＥＤ１が動かされないとき、即ち、ＯＬＥＤ１が、オンに切り換えられず、光７を放射しないとき、鏡の役割を果たす。
【００２０】
図２乃至４に示されているように、本発明の好ましい実施例による鏡は、鏡の前の人９の位置に依存して選択的に照明され得る鏡面を生成するＯＬＥＤ１のアレイ８で構成される。そのため、ＯＬＥＤ１は、容量性近接センサとして構成される。これは、ＯＬＥＤ１が、同時に、鏡の前の人９の位置を検出するための位置検出器の役割を果たすことを意味する。
【００２１】
ＯＬＥＤ１は、アレイ８のうちの、人９の目の前にある領域は照明されず、即ち、対応するＯＬＥＤ１は、動かされず、従って、反射性であり、取り囲む領域、即ち、取り囲むＯＬＥＤ１は、動かされ、従って、照明されるようにして制御される。図２乃至４においては、鏡素子の役割を果たすＯＬＥＤ１は、ハッチングをかけた面の領域で示されており、照明されるＯＬＥＤ１は、クリアな面で示されている。
【００２２】
このようにして、鏡面及び照明領域は、図２及び３に示されているように、人９の動きに追従してリアルタイムで変えられ得る。更に、本発明の好ましい実施例による鏡は、鏡の前の人９の動きを補償するようにしか構成されない。図４から分かるように、鏡の前の人９がより小さい場合であっても、例えば、子供の場合であっても、人９の顔の最適な照明及び映し出しは達成され得る。従って、本発明は、各使用タイプに自動的に適合させられる、自己照明を備える、汎用性のある鏡を提供する。
【００２３】
図面及び上記において、本発明を詳細に図示及び記載しているが、このような図示及び記載は、説明的なもの又は例示的なものとみなされるべきであり、限定するものとみなされるべきではなく、本発明は、開示されている実施例に限定されない。
【００２４】
請求項に記載の発明を実施する当業者は、図面、明細及び添付の請求項の研究から、開示されている実施例に対する他の変形を、理解し、達成し得る。請求項において、「有する」という用語は、他の要素又はステップを除外せず、単数形表記は、複数の存在を除外しない。特定の手段が、相互に異なる従属請求項において引用されているという単なる事実は、これらの手段の組み合わせが有利になるように使用されることができないと示すものではない。請求項におけるいかなる参照符号も、範囲を限定するものとして解釈されてはならない。
【図１】
0005492094.tif 000002
【図２】
0005492094.tif 000003
【図３】
0005492094.tif 000004
【図４】
0005492094.tif 000005